(57)【要約】【課題】第１の色補正領域に対する色補正特性と、第２の色補正範囲に対する色補正特性が重複する重複領域が存在する場合、この重複領域での色補正により却って不自然な画像とならないようにする。【解決手段】第１の色補正領域と第２の色補正領域のうち、いずれを優先するかを選択する。選択された色補正領域の色補正特性を反転し、選択されない色補正領域の色補正特性との最小値を示す特性を求め、選択されない色補正領域の色補正特性と置き換えて新たに設定する。この色補正特性と選択された色補正領域の色補正特性とを各々レベル調整したうえで合成し、これに基づき色補正を行って画像を表示する。【選択図】図４
2010258759.tif 000002
【特許請求の範囲】
【請求項１】
入力された複数の色補正領域を有する映像色信号を処理して表示する映像表示装置であって、
前記入力された映像色信号に対して色補正を施す色補正部と、
該色補正部に対して色補正量を設定する色補正量設定部と、
前記色補正部で補正された映像色信号を表示する表示部を有し、
前記色補正量設定部は、
第１の色補正領域に対する第１の色補正特性と第２の色補正領域に対する第２の色補正特性を設定する色補正領域算出部と、
前記第１の色補正領域の一部と第２の色補正領域の一部とが重複する重複領域がある場合には、該重複領域に対する色補正特性を前記第１の色補正特性と第２の色補正特性に基づき、該二つの色補正特性と比較して絶対量の最大値を超さない範囲で設定する補正量合成部
を有することを特徴とする映像表示装置。
【請求項２】
請求項１に記載の映像表示装置において、前記第１の色補正領域と第２の色補正領域のうち色補正特性を優先する色補正領域を選択するための保護領域選択部を有し、前記補正量合成部は前記保護領域選択部での選択結果に基づいて、前記重複領域に対する色補正特性を設定することを特徴とする映像表示装置。
【請求項３】
請求項１に記載の映像表示装置において、前記補正量合成部における前記重複領域に対する色補正特性の設定は、前記入力された映像色信号が前記重複領域の成分を含むか否かをフレーム単位で判定し、該判定の結果、前記重複領域の成分を含む場合に行われることを特徴とする映像表示装置。
【請求項４】
請求項２に記載の映像表示装置において、前記補正量合成部は前記保護領域選択部で選択された色補正領域の色補正特性を、その最大値が所定の基準値となるよう反転させ、該反転された色補正特性と、残る一方の色補正領域の色補正特性との最小値を求めて、前記残る一方の色補正領域の色補正特性と置き換えたうえで、前記重複領域に対する色補正特性を設定することを特徴とする映像表示装置。
【請求項５】
入力された複数の色補正領域を有する映像色信号を処理して表示する映像表示方法であって、
前記映像色信号に対して行う色補正のための複数の色補正領域から優先する色補正領域を選択するための保護領域選択ステップと、
該保護領域選択ステップで選択された色補正領域の色補正特性を、その最大値が所定の基準値となるよう反転させる色補正特性反転ステップと、
該色補正特性反転ステップで得た反転された色補正特性と、前記保護領域選択ステップで選択されない色補正領域の色補正特性に基づき、該保護領域選択ステップで選択されない色補正領域の色補正特性を新たに設定して置き換える色補正特性設定ステップと、
該色補正特性設定ステップで新たに設定された保護領域選択ステップで選択されない色補正領域の色補正特性と、前記前記保護領域選択ステップで選択された色補正領域の色補正特性とをそれぞれレベル調整する補正量調整ステップと、
該補正量調整ステップでレベル調整された各々の色補正特性を合成する補正特性合成ステップを有し、
該補正特性合成ステップで合成された色補正特性に基づき、前記表示する映像色信号の色補正を行うことを特徴とする映像表示方法。
【請求項６】
請求項５に記載の映像表示方法において、前記した表示する映像色信号の色補正は、前記入力された映像色信号が前記重複領域の成分を含むか否かをフレーム単位で判定し、該判定の結果、前記重複領域の成分が含まれる場合に行われることを特徴とする映像表示方法。
【発明の詳細な説明】
【技術分野】
【０００１】
本発明は映像表示装置および映像表示方法に係り、特に色信号を補正する際の視覚上の違和感を低減した映像表示装置および映像表示方法に関するものである。
【背景技術】
【０００２】
ディジタル放送を受信し表示する映像表示装置が普及し、表示デバイスとしてＬＣＤ（Liquid Crystal Display）やＰＤＰ（Plasma Display Panel）を用いるものが主流となった現在、表示画像の高画質化のための技術開発がいっそう盛んになっている。特に色の表示に関しては、その色相（色あい）、彩度（濃さ）、明度（明るさ）の三次元から把握して、視覚上良好になるような補正を行う方法が開発されている。
特許文献１においては、高輝度な白色系信号の色相補正に関し若干色のついた近似白色に対して色相補正して、視覚的に好ましい映像とする技術が開示されている。
【先行技術文献】
【特許文献】
【０００３】
【特許文献１】特開２００３−４７０２０号公報
【発明の概要】
【発明が解決しようとする課題】
【０００４】
前記した特許文献１においては、その図４と図５で色相の補正特性の一例が示されている。色相補正部において補正を行わない場合は、図４（ａ）にあるようなリニアな入出力特性を有する。補正を行う場合には図４（ｂ）にあるように、色相の補正中心（ＨＰ）、補正範囲（Ｗ）、補正量（Ｈ）を定めて図４（ａ）に加算し、図５（ａ）にあるようなノンリニアな入出力特性とする。この場合は中程度の彩度の信号では色相が変化し、図２と対比すれば分かるように、たとえば赤は黄に、青はマゼンダにいくらか近寄るように色相補正がされる。
【０００５】
前記したノンリニアな入出力特性は、各色相に対して任意に定めることができる。視覚上で最も良好に見えるような特性が選ばれるが、入力した信号に対する表示デバイスの応答特性がリニアでない場合は、同時にこれを含めて補正することができる。
しかし、ある色相（たとえば赤）と他の色相（たとえば肌色）を色相補正した場合、その中間色では双方の補正が重なって、かえって視覚上の違和感を与える場合があり、いっそうの改善が望まれていた。
【０００６】
本発明の目的は前記した課題に鑑み、色信号を補正する際の視覚上の違和感を低減した映像表示装置および映像表示方法を提供することにある。
【課題を解決するための手段】
【０００７】
前記目的を達成するため本発明は、入力された複数の色補正領域を有する映像色信号を処理して表示する映像表示装置であって、前記入力された映像色信号に対して色補正を施す色補正部と、該色補正部に対して色補正量を設定する色補正量設定部と、前記色補正部で補正された映像色信号を表示する表示部を有し、前記色補正量設定部は、第１の色補正領域に対する第１の色補正特性と第２の色補正領域に対する第２の色補正特性を設定する色補正領域算出部と、前記第１の色補正領域の一部と第２の色補正領域の一部とが重複する重複領域がある場合には、該重複領域に対する色補正特性を前記第１の色補正特性と第２の色補正特性に基づき、該二つの色補正特性と比較して絶対量の最大値を超さない範囲で設定する補正量合成部を有することを特徴としている。
【０００８】
また本発明は、入力された複数の色補正領域を有する映像色信号を処理して表示する映像表示方法であって、前記映像色信号に対して行う色補正のための複数の色補正領域から優先する色補正領域を選択するための保護領域選択ステップと、該保護領域選択ステップで選択された色補正領域の色補正特性を、その最大値が所定の基準値となるよう反転させる色補正特性反転ステップと、該色補正特性反転ステップで得た反転された色補正特性と、前記保護領域選択ステップで選択されない色補正領域の色補正特性に基づき、該保護領域選択ステップで選択されない色補正領域の色補正特性を新たに設定して置き換える色補正特性設定ステップと、該色補正特性設定ステップで新たに設定された保護領域選択ステップで選択されない色補正領域の色補正特性と、前記前記保護領域選択ステップで選択された色補正領域の色補正特性とをそれぞれレベル調整する補正量調整ステップと、該補正量調整ステップでレベル調整された各々の色補正特性を合成する補正特性合成ステップを有し、該補正特性合成ステップで合成された色補正特性に基づき、前記表示する映像色信号の色補正を行うことを特徴としている。
【発明の効果】
【０００９】
本発明によれば、色信号を補正する際の視覚上の違和感を低減した映像表示装置および映像表示方法を提供でき、テレビジョン画像のいっそうの高画質化に寄与できるという効果がある。
【図面の簡単な説明】
【００１０】
【図１】本発明の一実施例における映像表示装置のブロック図である。
【図２】本発明における色補正方法を説明するための特性図である。
【図３】従来の色補正回路の動作を説明するための特性図である。
【図４】本発明の一実施例における色補正回路のブロック図である。
【図５】本発明の一実施例における色補正領域算出部の動作を説明するための特性図である。
【図６】本発明の一実施例における補正量反転部の動作を説明するための特性図である。
【図７】本発明の一実施例における保護補正量合成部の動作を説明するための特性図である。
【図８】本発明の一実施例における色補正量算出部の動作を説明するための特性図である。
【図９】本発明の一実施例における色補正量合成部の動作を説明するための特性図である。
【図１０】本発明の一実施例における色補正回路の動作を説明するための特性図である。
【図１１】本発明の一実施例における色補正回路の動作フローチャートである。
【図１２】本発明の一実施例における色補正回路の別な動作フローチャートである。
【発明を実施するための形態】
【００１１】
以下、本発明の実施形態について図面を用いながら説明する。
図１は本発明の一実施例における映像表示装置のブロック図である。ここではディジタルテレビジョン放送を受信して表示する装置を示している。これに基づき映像表示装置全体の動作を説明する。
入力端子１００にはアンテナ（図示せず）からの放送電波が供給され、チューナ１０１でユーザが望む放送チャネルが選択される。もちろん衛星放送や地上波放送のみならず、ケーブルテレビの放送を受信しても良い。選択されるチャネルは、ユーザがたとえばリモコン（図示せず）を操作することで選択指令をリモコン受信部１１０に送り、これに基づきＣＰＵ１１１がバス１０８を介してチューナ１０１を制御することで決められる。選択されたチャネルの受信信号は、復調部１０２で伝送のために施された変調方式に応じて復調され、また伝送中に発生した誤りが訂正される。次にデスクランブル部１０３において、必要に応じて放送局で秘匿性を高めるために施された暗号が復号される。
【００１２】
ディジタル放送の場合、一つの放送チャネルには、たとえば３つの番組が時分割多重されているが、前記と同様にユーザのたとえばリモコン操作による指令に応じて、デマルチプレクサ１０４ではユーザが望むスロットの映像コンテンツが選択される。選択された映像コンテンツはＭＰＥＧデコーダ１０５において、放送局で施されたＭＰＥＧ（Moving Picture Experts Group）によるデータ圧縮が解除されて伸張される。次いで色補正回路１０６において、色相（色あい）、彩度（濃さ）、明度（明るさ）が補正されたうえで、表示部１０７に与えられる。ユーザは表示部１０７に表示された番組を視聴することができる。色補正回路１０６では、ユーザの好みも含め視覚上良好になるよう、また表示部１０７の応答特性がリニアでない時にはこれを含めて補正するよう、色信号に対する処理が行われる。この色補正回路１０６における補正特性は、色補正量設定回路１０６ａで決められる。これについて、特に本実施例で特徴的な点をさらに詳しく説明する。以下の説明では色補正回路１０６と色補正量設定回路１０６ａの双方を合わせて、色補正回路と称することもある。
【００１３】
なお、図面の煩雑化を避けるために、音声信号の処理回路やスピーカは省略しているが、当然ながら前記映像コンテンツに伴う音声情報も信号処理されてスピーカへ出力される。またＥＰＧ（Electronic Program Guide）を表示する場合には、放送に伴い逐次受信された番組情報を、たとえばフラッシュメモリ１０９へ蓄積したうえで、全てのチャネルの番組情報を時系列で、所定フォーマットの一覧表形式で表示部１０７へ表示する。ユーザはＥＰＧを見て、希望する番組の視聴予約や録画予約をすることができる。
【００１４】
次に色補正について説明する。図２は本発明における色補正方法を説明するための特性図である。
図２（ａ）は色の彩度（濃さ）を半径方向に、明度（明るさ）を高さ方向に、色相（色あい）を位相方向にとり、三次元で表した色信号の分布する空間を示している。彩度と明度は各矢印の方向にむけて強度が増加する。色相は矢印の方向に赤、黄、緑、シアン、青、マゼンダの順で一巡する。もちろん各色相は連続的に変化しており、その間には中間色がある。たとえば赤と黄の間には肌色がある。
【００１５】
色補正を行う際には、まず三つのパラメータに対する補正範囲を定める。たとえば図２（ａ）における太線で表す領域に対して、色補正を行うものとする。まず色相についてはたとえば図２（ｂ）のように補正特性を定める。補正中心（たとえば赤）、補正範囲（たとえばマゼンダ寄りから黄色寄りまでを位相で表す）、補正量（図示するように可変範囲があって良い）と傾き（変化の急峻性を表す）を指定することで、所定の特性を持たせることができる。同様にして彩度についてはたとえば図２（ｃ）のように、明度についてはたとえば図２（ｄ）のように指定すると良い。ここでは、いずれも台形状の特性とする。
【００１６】
前記の場合は、赤を中心とした所定の色相範囲の色が黄色方向にシフトし、中程度の彩度と明度が強まる方向で補正されることになる。もちろん図２（ｂ）〜（ｄ）における正方向のみならず、負方向への補正をかけることもできる。三つのパラメータの全てを補正するのではなく、たとえば色相のみを補正することもできる。
【００１７】
次に従来の色補正における課題を説明する。図３は従来の色補正回路の動作を説明するための特性図である。
人の視覚特性からみて、特に感度の高い赤と肌色を例にとって述べる。図２（ａ）において肌色の位相は赤に近く、赤と黄の間に位置する。図３（ａ）において赤の領域である色補正領域１に対してＣ１（Ｈ，Ｓ，Ｖ）の補正量を与えたとする（Ｈは色相、Ｓは彩度、Ｖは明度とする）。一方、肌色の領域である色補正領域２に対してＣ２（Ｈ，Ｓ，Ｖ）の補正量を与えたとする。図示するように、色補正領域１と色補正領域２が重なる重複補正領域がある場合、ここでは従来は双方を加算したＣ１（Ｈ，Ｓ，Ｖ）＋Ｃ２（Ｈ，Ｓ，Ｖ）の補正量が与えられる。
【００１８】
前記したような台形状の特性を与えた場合を図３（ｂ）〜（ｄ）に示す。図３（ｂ）において色相補正量Ｃｈ（Ｈ）につき、色補正領域１（赤）にはＣ１ｈ（Ｈ）を、色補正領域２（肌色）にはＣ２ｈ（Ｈ）を与えたとする。Ｃ１ｈ（Ｈ）とＣ２ｈ（Ｈ）は各々単独では台形状（重複補正領域では破線で示す）の特性であっても、重複補正領域では双方が加算された特性となる。このため重複補正領域では、色補正領域１や色補正領域２に与えた以上の補正が行われ、結果的に却って不自然な色相となる。図３（ｃ）と図３（ｄ）に示すように、彩度や明度においても同様な問題があり、いっそうの改善が望まれる。
本発明の実施例においてはこれらの課題を解決するため、特に重要な色に対する補正特性を保持したうえで、重複補正領域で却って不自然な画像とならないようにすることを特徴としている。以下、これについて図４以降の図面を用いながら説明する。
【００１９】
図４は本発明の一実施例における色補正量設定回路１０６ａのブロック図である。
入力端子４０１からは、色相（Ｈ）、彩度（Ｓ）、明度（Ｖ）のいずれを設定するかを示す制御信号が入力される。これは、たとえば赤に対する色補正領域算出部１（４０２ａ）、たとえば肌色に対する色補正領域算出部２（４０２ｂ）、色補正量算出部１（４０６ａ）と色補正量算出部２（４０６ｂ）に与えられる。色補正領域算出部１（４０２ａ）で算出された色補正特性Ｃ１ａ（Ｈ，Ｓ，Ｖ）と色補正領域算出部２（４０２ｂ）で算出された色補正特性Ｃ２ａ（Ｈ，Ｓ，Ｖ）は、保護領域選択部４０３と保護補正量合成部４０５に与えられる。
【００２０】
保護領域選択部４０３では、与えられた色補正特性Ｃ１ａ（Ｈ，Ｓ，Ｖ）とＣ２ａ（Ｈ，Ｓ，Ｖ）のうちから、後記する方法でいずれか一方を選択する。ここではＣ２ａ（Ｈ，Ｓ，Ｖ）が選択されたとする。選択された色補正特性Ｃ２ａ（Ｈ，Ｓ，Ｖ）は補正量反転部４０４へ与えられる。ここでは反転した特性を得るべく、その補正量の最大値をＴとしてＴ−Ｃ２ａ（Ｈ，Ｓ，Ｖ）が求められ、保護補正量合成部４０５に与えられる。
【００２１】
保護補正量合成部４０５では、前記重複領域での色補正特性について前記した従来例のような不自然さを持たないよう、かつ重複領域における保護領域選択部４０３で選択された色補正特性Ｃ２ａ（Ｈ，Ｓ，Ｖ）を重視した補正量になるように特性を合成する。その結果として得た、たとえば赤に対する新たな色補正特性Ｃ１ｂ（Ｈ，Ｓ，Ｖ）が色補正量算出部１（４０６ａ）に与えられ、たとえば肌色に対する色補正特性Ｃ２ｂ（Ｈ，Ｓ，Ｖ）が色補正量算出部２（４０６ｂ）に与えられる。
【００２２】
色補正量算出部１（４０６ａ）と色補正量算出部２（４０６ｂ）では、与えられた色補正特性の大きさを視覚上望ましくなるように適宜調整し、色補正特性Ｃ１ｃ（Ｈ，Ｓ，Ｖ）、Ｃ２ｃ（Ｈ，Ｓ，Ｖ）として色補正量合成部４０７へ与える。色補正量合成部４０７は、これらを加算しＣ（Ｈ，Ｓ，Ｖ）として最終的な色相、彩度、明度それぞれの色補正特性を出力端子４０８へ出力し、図１の色補正回路１０６へ与える。色補正回路１０６ではこれに基づき、表示部１０７で表示する映像に対する色補正を行う。
【００２３】
次に図４における各構成要素の動作について、さらに詳しく説明する。
まず色補正領域算出部１（４０２ａ）と色補正領域算出部２（４０２ｂ）について述べる。図５は、本発明の一実施例における色補正領域算出部の動作を説明するための特性図である。
【００２４】
色補正領域算出部では、各色成分の色相、彩度、明度につき、前記した補正範囲、補正中心、傾き、最大補正量Ｔを設定し、色補正量Ｃａ（Ｈ，Ｓ，Ｖ）を出力する。このうち色相補正量Ｃｈａ（Ｈ）について図５に一例を示す。なお、以下では主に色相に対する補正を取り上げるが、彩度や明度に対しても同様な処理を行うことができる。色補正領域算出部１（４０２ａ）では、たとえば赤に対する色相補正量Ｃ１ｈａ（Ｈ）が図５（ａ）のように、また色補正領域算出部２（４０２ｂ）では、たとえば肌色に対する色相補正量Ｃ２ｈａ（Ｈ）が図５（ｂ）のように与えられている。それぞれの最大補正量はＴであるが、双方の色に対するＴの値は異なる値であっても良い。
【００２５】
ここで図中の色相ｈ１より左側が赤の領域、ｈ２より右側が肌色の領域とする。ｈ１とｈ２の間の領域は前記した色補正特性の重複領域となり、ここにある色は、従来は却って不自然な印象を与えるような補正が行われていた。そこで本実施例では以下のようにして重複領域における色補正量を設定し、この不自然さを低減するようにしている。
【００２６】
前記出力された色相補正量Ｃ１ｈａ（Ｈ）と色相補正量Ｃ２ｈａ（Ｈ）は、保護領域選択部４０３に与えられる。ここでは前記した重複領域における色補正量を設定するに際に、いずれの色補正量を優先するかを決定する。赤と肌色はいずれも人の目に対する感度の高い色であるが、ここでは特に繊細な再現を要求される肌色を優先する例を示す。この場合、保護領域選択部４０３では肌色に対する色相補正量Ｃ２ｈａ（Ｈ）が選択され、出力される。これは補正量反転部４０４に与えられる。
【００２７】
補正量反転部４０４の動作について述べる。図６は本発明の一実施例における補正量反転部の動作を説明するための特性図である。
先の色相補正量Ｃ２ｈａ（Ｈ）（図中の破線）はその最大値をＴとして、Ｔ−Ｃ２ｈａ（Ｈ）を求められ（図中の実線）、補正量を反転した特性となって出力され、保護補正量合成部４０５へ与えられる。
【００２８】
保護補正量合成部４０５の動作について述べる。図７は本発明の一実施例における保護補正量合成部の動作を説明するための特性図である。図７（ａ）に示すように、肌色に対する色相補正量Ｃ２ｈａ（Ｈ）を反転したＴ−Ｃ２ｈａ（Ｈ）（図中の実線）と、赤に対する色相補正量Ｃ１ｈａ（Ｈ）（図中の一点破線）を用いて、以下のように新たに色相補正量が設定される。まず図７（ｂ）に示すように、赤に対する色相補正量Ｃ１ｈａ（Ｈ）（図中の一点破線）と先のＴ−Ｃ２ｈａ（Ｈ）（図中の破線）の各色相における最小値であるＣ１ｈｂ（Ｈ）（図中の実線）を求める。
【００２９】
このＣ１ｈｂ（Ｈ）を新たな赤に対する色相補正量とする。図７（ｃ）に示すように新たな赤に対する色相補正量Ｃ１ｎｂ（Ｈ）（図中の実線）は、元の色相補正量Ｃ１ｈａ（Ｈ）（図中の破線）よりも重複領域での補正量が少なくなっている。
一方、図７（ｄ）に示すように、肌色に対する色相補正量Ｃ２ｈｂ（Ｈ）は元のＣ２ｈａ（Ｈ）のままとする。すなわち、保護領域選択部４０３で選択された特に繊細な再現を要求される色相に対する色相補正量は、元の特性を維持するようにする。
保護補正量合成部４０５から出力された色相補正量Ｃ１ｎｂ（Ｈ）とＣ２ｈｂ（Ｈ）は、色補正量算出部４０６ａと４０６ｂに与えられる。
【００３０】
色補正量算出部４０６ａと４０６ｂの動作について述べる。図８は、本発明の一実施例における色補正量算出部の動作を説明するための特性図である。図８（ａ）に示すように、
色補正量算出部１（４０６ａ）においては、赤に対する色相補正量Ｃ１ｎｂ（Ｈ）（図中の破線）は、たとえば全体に所定の倍数を乗算されて増加（図示の場合）または減少されてＣ１ｈｃ（Ｈ）（図中の実線）となる。色補正量算出部２（４０６ｂ）においては、肌色に対する色相補正量Ｃ２ｈｂ（Ｈ）に対して同様の処理が行われＣ２ｈｃ（Ｈ）となる。これらＣ１ｈｃ（Ｈ）とＣ２ｈｃ（Ｈ）はともに色補正合成部４０７に与えられる。
【００３１】
色補正合成部４０７の動作について述べる。図９は、本発明の一実施例における色補正量合成部の動作を説明するための特性図である。ここで先のＣ１ｈｃ（Ｈ）とＣ２ｈｃ（Ｈ）を加算する。色相ｈ１よりも赤寄り（図中では左寄り）では色相補正量はＣ１ｈｃ（Ｈ）のみで定まる。色相ｈ２よりも肌色寄り（図中では右寄り）を含め、色相ｈ１とｈ２の間の重複領域におけるＣ１ｈｃ（Ｈ）が０となる色相ｈ３よりも肌色寄りでは色相補正量はＣ２ｈｃ（Ｈ）のみで定まる。
一方、Ｃ１ｈｃ（Ｈ）とＣ２ｈｃ（Ｈ）の双方が存在する色相ｈ１とｈ３の間では、双方の加算値であるＣ１２ｈ（Ｈ）で色相補正量が定まる。これは先に図３で示したような従来の場合と異なり、Ｃ１ｈｃ（Ｈ）とＣ２ｈｃ（Ｈ）の間を滑らかにつないでおり、強度が突出するような補正量を有していない。またＣ１ｈｃ（Ｈ）とＣ２ｈｃ（Ｈ）のうちの最大値（ここではＣ２ｈｃ（Ｈ）が有する）よりも大きな補正量を有していない。これは先の保護補正量合成部４０５において、赤の色相補正量Ｃ１ｈａ（Ｈ）に対して処理が行われたことによる。
【００３２】
ここまでは色補正のうちで特に色相補正の場合を説明してきたが、彩度や明度に対する補正も同様に行うことができる。また本実施例では、色補正を行う際は色相、彩度及び明度を同時に補正するものとするが、これらのうちいずれか一つのみを補正するようにしてもよい。図１０は、本発明の一実施例における色補正回路の動作を説明するための特性図である。
これまでと同様に図１０（ａ）で示すように、赤の色補正領域１に補正量Ｃ１（Ｈ，Ｓ，Ｖ）が設定され、肌色の色補正領域２に補正量Ｃ２（Ｈ，Ｓ，Ｖ）が設定された場合、双方の重複補正領域の補正量Ｃ１２（Ｈ，Ｓ，Ｖ）を、図１０（ｂ）〜（ｄ）のように設定する。まず図１０（ｂ）に示した色相補正量Ｃｈ（Ｈ）については前記と同様であり、たとえば肌色に対する補正を維持し優先したうえで、重複補正領域に対してＣ１２ｈ（Ｈ）で示すような滑らかにつながる特性を与えている。
【００３３】
また図１０（ｃ）に示した彩度補正量Ｃｓ（Ｓ）については、たとえば肌色の色補正領域２に対して赤の色補正領域１よりも彩度を強調し、やはり肌色に対する補正を維持し優先したうえで、重複補正領域に対してＣ１２ｓ（Ｓ）で示すような滑らかにつながる特性を与える例を示した。
また図１０（ｄ）に示した明度補正量Ｃｖ（Ｖ）については、一例として以上とは逆に、たとえば赤の色補正領域１に対して肌色の色補正領域２よりも明度を強調し、赤に対する補正を維持し優先したうえで、重複補正領域に対してＣ１２ｖ（Ｖ）で示すような滑らかにつながる特性を与える例を示した。
このように色相（Ｈ）、彩度（Ｓ）、明度（Ｖ）によって優先する色を変えることもできる。実際に色補正を行う際は、優先させる色の色相、彩度及び明度の全てを他の色に対して優先させて設定することが好ましいが、上記のように色相、彩度及び明度を色に応じて変えることも可能である。これは図４の保護領域選択部４０３での選択を、入力端子４０１からの信号に応じて定めることで行うことができる。またいずれの色を大きく強調するかは、図４の色補正算出部１（４０６ａ）と色補正算出部２（４０６ｂ）で、前記した補正量の増加ないし減少を入力端子４０１からの信号に応じて行えば良い。
【００３４】
以上のようにすることで、人の目に対する感度の高い色のうちでも、特に繊細な再現を要求されるたとえば肌色に対する色補正量を維持したうえで、前記した重複補正領域で却って不自然な画像とならないような色補正ができ、視覚上の違和感を低減することができるという効果がある。
【００３５】
次に本実施例の動作フローチャートを説明する。図１１は、本発明の一実施例における色補正回路の動作フローチャートである。ここでは、たとえば二つの色補正領域の各々に対して所定の色補正量（前記した補正中心、補正範囲、補正量と傾き）が、予め色補正領域算出部４０２で設定されているものとする。
まずステップＳ１１０１では、保護領域選択部４０３は、特に繊細な再現を要求される保護する色補正範囲（前記の例では肌色）を選択する。
次にステップＳ１１０２では、補正量反転部４０４は、ステップＳ１１０１で選択された色補正範囲に対する色補正量を反転する。
さらにステップＳ１１０３では、保護補正量合成部４０５は、ステップＳ１１０２で反転された色補正量に基づき、ステップＳ１１０１で選択されない色補正範囲（前記の例では赤）に対する色補正量を設定する。
次いでステップＳ１１０４では、色補正量算出部４０６は、ステップＳ１１０１で選択された色補正範囲に対する色補正量、およびステップＳ１１０３で設定されたステップＳ１１０１で選択されない色補正範囲に対する色補正量を、各々レベル調整する。
さらにステップＳ１１０５では、色補正量合成部４０７はステップＳ１１０４でレベル調整された各々の色補正量を合成して、フローを終了する。
【００３６】
続いて本実施例の動作フローチャートの別な例を説明する。図１２は本発明の一実施例における色補正回路の別な動作フローチャートである。ここでは図中で右半分のステップＳ１１０１〜Ｓ１１０５は図１１と同様で良いので、説明を省略する。図１２は図１１の場合と異なり、ステップＳ１１０１の前に判定ステップＳ１２０１があって、その判定結果に応じて図１１のフローを行うか否かを決めている。
【００３７】
ステップＳ１２０１で、図１のＣＰＵ１１は、次に処理する一つの画像フレームにおいて色補正領域が重複する領域があるか否かを判定する。たとえば前記したように赤と肌色の色補正量が重複する領域がある場合には（図中のＹｅｓ）、ステップＳ１１０１よりＳ１１０５までの図１１で述べたフローを行う。重複する領域がない場合には（図中のＮｏ）、ステップＳ１２０２にて、各々の色に対して色補正領域算出部４０２で設定したとおりの色補正を行い、フローを終了する。このフローは新しいフレームを処理する際に繰り返される。
【００３８】
図１２の場合は、１フレームごとに色補正が重複する領域があるか否かに応じて処理を切替えるため、各々の色ごとに最適に設定された色補正量を変更する必要のないフレームでは、色補正領域算出部４０２で設定したままの色補正量で処理することとなる。このため画像の内容に応じて最適な色補正を行えるという効果がある。
【００３９】
ここまで述べてきた実施形態は一例を示すものであって、本発明を限定するものではない。たとえば前記した重複領域において、色補正量を滑らかに、或いは元の補正量よりも大きな補正をすることのないようにする方法としては、いくつかの変形例が考えられる。また優先する色を選択するに際しては、前記したような色補正量を反転する以外にもいくつかの方法を考えられが、いずれも本発明の範疇にある。
【符号の説明】
【００４０】
１０６：色補正回路、１０６ａ：色補正量設定回路、４０２ａ，４０２ｂ：色補正領域算出部、４０３：保護領域選択部、４０４：補正量反転部、４０５：保護補正量合成部、４０６ａ，４０６ｂ：色補正量算出部、４０７：色補正量合成部。
【図１】
2010258759.tif 000003
【図２】
2010258759.tif 000004
【図３】
2010258759.tif 000005
【図４】
2010258759.tif 000006
【図５】
2010258759.tif 000007
【図６】
2010258759.tif 000008
【図７】
2010258759.tif 000009
【図８】
2010258759.tif 000010
【図９】
2010258759.tif 000011
【図１０】
2010258759.tif 000012
【図１１】
2010258759.tif 000013
【図１２】
2010258759.tif 000014